(57)【要約】【課題】  二酸化塩素ガスの発生を、必要に応じて開始、終了又は中断できる装置及び方法。【解決手段】  送風器１、第一の薬剤容器３及び第二の薬剤容器４、それらを連結する通風手段２Ａ，２Ｂから成り、第一の薬剤容器３に発熱組成物３ａを収容し、第二の薬剤容器４に空気中の水分と温度の上昇により二酸化塩素ガスを発生する薬剤４ａを収容し、外部の空気を送風器１により第一の薬剤容器３に送るようにした装置。二酸化塩素ガス発生方法は、この装置により実行される。【選択図】図２
2018030772.tif 000002
【特許請求の範囲】
【請求項１】
空気中の酸素により発熱する発熱組成物が収容された第一の薬剤容器と、
空気中の水分の関与および温度の上昇により二酸化塩素ガスを発生する薬剤が収容され、発生した二酸化塩素ガスを外部に放出する開口部を具える、第二の薬剤容器と、
特に加熱されていない外部の空気を前記第一の薬剤容器に送る送風器と、
ダクト等の通風手段とから成り、
この通風手段は、前記送風器と前記第一の薬剤容器を連結する第一の通風手段と、前記第一の薬剤容器と前記第二の薬剤容器を連結する第二の通風手段から成る、二酸化塩素ガス発生装置。
【請求項２】
前記薬剤は、その全体が前記第一の薬剤容器から前記第二の通風手段を経て供給される空気に包まれるように、前記第二の薬剤容器に収容される、請求項１の二酸化塩素ガス発生装置。
【請求項３】
前記薬剤が粒状である、請求項２の二酸化塩素ガス発生装置。
【請求項４】
前記薬剤が多孔質体から成る、請求項３の二酸化塩素ガス発生装置。
【請求項５】
前記発熱組成物が粒状または粉状である、請求項２の二酸化塩素ガス発生装置。
【請求項６】
前記第一の薬剤容器は、二酸化塩素ガスの発生が不要になったとき、前記発熱組成物を取り出すことができるように構成されている、請求項１又は２の二酸化塩素ガス発生装置。
【請求項７】
前記送風器が電池で駆動される、請求項２の二酸化塩素ガス発生装置。
【請求項８】
空気中の酸素により発熱する発熱組成物に外部の空気を供給する過程、
前記発熱組成物から発生する熱により前記空気を加熱する過程、
空気中の水分の関与と温度上昇により二酸化塩素ガスを発生する薬剤に、加熱された前記空気を、前記薬剤全体がこの加熱された空気に包まれるように供給して、前記薬剤の温度を上昇させる過程、および
前記薬剤から二酸化塩素ガスを発生させる過程から成る、二酸化塩素ガス発生方法。
【請求項９】
二酸化塩素ガスを発生する薬剤に加熱された空気を供給して薬剤から二酸化塩素ガスを発生させる方法であって、
空気中の酸素により発熱する発熱組成物に、特に加熱されていない外部の空気を供給する過程、
前記発熱組成物から発生する熱により前記空気を加熱する過程、
空気中の水分の関与と温度上昇により二酸化塩素ガスを発生する薬剤に、加熱された前記空気を、前記薬剤全体がこの加熱された空気に包まれるように供給して、前記薬剤の温度を上昇させる過程、
前記薬剤から二酸化塩素ガスを発生させる過程、
二酸化塩素ガスの発生を中止または終了したいとき、前記発熱組成物への前記外部の空気の供給を停止するとともに、前記発熱組成物を系から取り除いて前記加熱を停止させる過程
から成ることを特徴とする、二酸化塩素ガス発生方法。
【請求項１０】
前記薬剤が粒状である、請求項８または９の二酸化塩素ガス発生方法。
【請求項１１】
前記薬剤が多孔質体から成る、請求項１０の二酸化塩素ガス発生方法。
【発明の詳細な説明】
【発明の詳細な説明】
【技術分野】
【０００１】  本発明は二酸化塩素ガス発生装置および方法、特に必要に応じて必要な期間に所要の濃度の二酸化塩素ガスを発生させることが可能な二酸化塩素ガス発生装置、および必要に応じて必要な期間に所要の濃度の二酸化塩素ガスを発生させる方法に関するものである。
【背景技術】
【０００２】  必要な濃度の二酸化塩素ガスを比較的長期にわたって発生させることができる二酸化塩素発生組成物は、例えば特開２００７−２１７２３９号（特許文献１）に開示されている。類似の組成を有する二酸化塩素発生組成物は、特許３１１０７２４号公報（特許文献２）に開示されている。これらの組成物は、二酸化塩素ガスの発生が始まるとガスが発生し続け、反応が終わるまで二酸化塩素の発生を停止することができない。【０００３】  必要に応じて二酸化塩素を発生させることを可能にした二酸化塩素発生装置が特開平１１−２８５５２５号（特許文献３）に開示されている。この装置は、二酸化塩素を発生するゲル状または液状の薬剤が収容された薬剤容器と、高温の空気を送る送風手段と、薬剤から遊離した二酸化塩素ガスを取り出すガス吐出部を具え、薬剤容器に収容されたゲル状または液状の薬剤の上面に高温の空気を送ることにより、二酸化塩素ガスを発生させている。この装置は、送風を停止すれば二酸化塩素ガスの発生を停止させることができる。【０００４】  特許第３３７３０５９号公報（特許文献４）には、ヘアドライヤーのような形をした、二酸化塩素ガス供給装置が記載されている。この装置は、内部に送風機と電熱ヒーターを具え、吹き出し口を有し、ヒーターの下流（吹き出し口側）には酸溶液を含浸した第一の成形体を、さらに下流側にアルカリ性二酸化塩素溶液を含浸した第二の成形体を、それぞれ配置している。【０００５】  この装置では、電熱ヒーターにより加熱された空気が第一の成形体と第二の成形体を通過することにより、二酸化塩素ガスの遊離を促進し、吹き出す温風のガス濃度を増加させている。送風または電熱ヒーターによる加熱を停止すれば、二酸化塩素ガスの放出を停止させることができる。
【先行技術文献】
【特許文献】
【０００６】
【特許文献１】  特開２００７−２１７２３９号
【特許文献２】  特許３１１０７２４号公報
【特許文献３】  特開平１１−２８５５２５号
【特許文献４】  特許３３７３０５９号公報
【発明の概要】
【発明が解決しようとする課題】
【０００７】  しかし特許文献３および同４のガス発生装置では、薬剤容器に供給するための空気を加熱するヒーターで消費される電力が大きく、容量の大きい電源を必要とし、また電力料もかかる。【０００８】  それ故、本発明の目的は、少ない消費電力で、必要に応じて所要の濃度の二酸化塩素を必要な期間発生させることが可能な、二酸化塩素ガス発生装置を実現することにある。【０００９】  本発明の目的は又、電池を電源として用いることができ、従って携帯等の移動が容易な、二酸化塩素ガス発生装置を実現することにある。【００１０】  本発明の他の目的は、少ない消費電力で、必要に応じて所要の濃度の二酸化塩素を必要な期間、発生させることができる方法を実現することにある。
【課題を解決するための手段】
【００１１】  上記目的を達成する本発明の二酸化塩素ガス発生装置は、空気中の酸素により発熱する粒状または粉状の発熱組成物が収容された第一の薬剤容器と、空気中の水分の関与および温度上昇により二酸化塩素ガスを発生する薬剤が収容され、発生した二酸化塩素ガスを外部に放出する開口部を具える第二の薬剤容器と、特に加熱されていない外部の空気を第一の薬剤容器に送る送風器と、ダクト等の通風手段とから成り、通風手段は、送風器と第一の薬剤容器を連結する第一の通風手段と、第一の薬剤容器と第二の薬剤容器を連結する第二の通風手段から成る。【００１２】  二酸化塩素ガスを発生する薬剤（以下、二酸化塩素発生剤）は、その全体が、第一の薬剤容器から第二の通風手段を経て供給される空気に包まれるように、第二の薬剤容器に収容されることが望ましい。二酸化塩素発生剤は粒状または粉状のもの、そして多孔質体から成るものが有利である。【００１３】  上記目的を達成する本発明の方法は、二酸化塩素ガスを発生する薬剤に加熱された空気を供給して薬剤から二酸化塩素ガスを発生させる方法であって、
（１）空気中の酸素により発熱する発熱組成物に、外部の空気（特に加熱されていない）を供給する過程、
（２）この空気を発熱組成物から発生する熱により加熱する過程、
（３）空気中の水分の関与および温度の上昇により二酸化塩素ガスを発生する薬剤に、加熱された空気を、薬剤全体がこの空気（加熱された）に包まれるように供給して、薬剤の温度を上昇させる過程、
（４）薬剤（二酸化塩素発生剤）から二酸化塩素ガスを発生させる過程
から成ることを特徴とする。【００１４】  過程（４）の後で、発熱組成物への外気の供給を停止するとともに発熱組成物を系から取り除いて加熱を停止させることにより、必要に応じて二酸化塩素ガスの発生を終了又は中止することができる。二酸化塩素発生剤は粒状のもの、そして多孔質体から成るものが有利である。発熱組成物は鉄の酸化を利用する粒状又は粉状のものが有利である。【００１５】  本発明の二酸化塩素ガス発生装置及び方法について以下に詳しく説明する。空気中の水分の関与および温度上昇により二酸化塩素ガスを発生する薬剤としては、特開２０１１−１７３７５８号に開示された、多孔質体から成る安定化二酸化塩素剤（発生剤）が有用である。この安定化二酸化塩素剤は、亜塩素酸塩と特定の量のアルカリ剤を含浸して乾燥させた多孔質担体から成る（公開公報では、「多孔質担体に亜塩素酸塩とアルカリ剤を含浸させ、乾燥させて得られる安定化二酸化塩素剤」と表記）。この二酸化塩素ガス発生剤は、使用時に薬剤を特に添加する必要がなく、過不足なく安定して二酸化塩素ガスを発生する。有用な多孔質担体は同公開公報段落（００１２）に記載されている。バリゴルスカイト及びセビオライトは特に有用である。しかし、他にも粒状の二酸化塩素発生剤は多く知られており、それらを用いることもできる。【００１６】  二酸化塩素発生剤は上記成分以外に酸、酸性塩等の酸性物質を含んでもよい。【００１７】  二酸化塩素発生剤は粒状のものが有利である。何故なら、化学的発熱体により加熱された空気が全体に行き渡り、かつ散逸しないように網袋等に容れるには、粒状にすると好都合だからである。しかし繊維状であってもよい。多孔質体から成る二酸化塩素発生剤は塊状のもの又は成型体を用いることもできる。【００１８】  粒状の二酸化塩素発生剤は、取り扱いを容易にするため、通常、網袋等の通気性の容器に収容し、さらに非通気性の袋（外袋）等に収容して保存される。使用時には、非通気性の外袋を破って用に供される。【００１９】  空気中の酸素により発熱する発熱組成物は、鉄、アルミニウム等の常温で固体の還元性金属、活性炭等の保水剤、吸水性樹脂、水、その他から成る組成物が有用である。発熱組成物については、例えば特開平９−２８５４８０（段落００５より００９まで）、特開平１１−２３９５８４（段落００２１）に記載がある。これらの技術文献に記載されているように、発熱組成物はゼオライト等の多孔質固体や塩類を含んでもよい。【００２０】  粒状または粉状の発熱組成物は、通常、使用する前には非通気性包装材の袋等に収容して保存され、使用時に外側の非通気性の袋等を破って開口部を作ることにより、発熱が開始される。このような発熱体は、いわゆる「使い捨てカイロ」として市販されている。使用する前には非通気性包装材の袋等に収容して保存され、使用時に外側の非通気性の袋等を破って開口部を作ることにより、発熱が開始される。このような発熱体は、いわゆる「使い捨てカイロ」として市販されている。使用する前には非通気性包装材の袋等に収容して保存され、使用時に外側の非通気性の袋等を破って開口部を作ることにより、発熱が開始される。このような発熱体は、いわゆる「使い捨てカイロ」として市���されている。
通常、本発明の装置又は方法において、発熱組成物は網袋等の通気性の袋に収容された形態の発熱体として第一の薬剤容器に収容される。通気性の袋は、片面が通気性包装材から成り、他面が非通気性包装材から成るものでもよい。通気性包装材及び非通気性包装材については、例えば特開平１１−２３９５８４（段落００２２）に記載されている。【００２１】  本発明の装置に用いる送風器は、家庭用電力で駆動されるものでもよいが、一次または二次電池で駆動されるものが、可搬式装置とするには有利である。形式は特に限定されないが、シロッコファンは小型軽量の装置に特に適している。【００２２】  第一の薬剤容器は、二酸化塩素ガスの発生が不要になったとき、発熱組成物を取り出すことができるように構成してもよい。また第二の薬剤容器も、二酸化塩素ガスの発生が不要になったとき、薬剤（二酸化塩素発生剤）を取り出すことができるように構成してもよい。このようにすれば、必要に応じて発熱組成物又は（及び）二酸化塩素発生剤を系から取り除いて二酸化塩素ガスの発生を中止又は終了することができる。これらの材料を新たに装着すれば、再び二酸化塩素ガスを発生させることができる。
【発明の効果】
【００２３】  本発明の装置によれば、必要に応じて所要の濃度の二酸化塩素を必要な期間発生させることができる。しかも、取り入れる空気の加熱に電熱ヒーターを用いないので、消費電力は送風器に要する電力のみであり、消費電力が僅かである。それ故、電池により作動させることができ、必要に応じて可搬式とすることもできる。【００２４】  本発明の装置によれば、送風器を停止した状態で第一の薬剤容器に発熱組成物を収容し、第二の薬剤容器に二酸化塩素発生剤を収容した上で、送風器の運転を開始すると、二酸化塩素発生剤の温度が上昇して、二酸化塩素ガスの発生が始まり、送風器を停止すれば二酸化塩素発生剤への高温空気の供給が事実上止まるから、二酸化塩素発生剤の温度が低下して、二酸化塩素ガスの発生は急速に減衰する。さらに第一の薬剤容器から発熱組成物を取り出せば、残った高温空気による二酸化塩素発生剤への影響は完全になくなる。【００２５】  本発明の方法においては、発熱組成物に外部の空気を供給する過程が、この空気を発熱組成物により加熱する過程、及び二酸化塩素発生剤に加熱された空気を供給する過程に先行するが、二酸化塩素ガスを発生させる実際の操作の手順としては、当然、発熱組成物と二酸化塩素発生剤を予め空気の通路に用意することが必要である。その上で外部の空気の供給を始めれば、本発明の方法の各過程が実行されることになる。発熱組成物に空気の供給を停止すれば、加熱された空気が二酸化塩素発生剤に供給されなくなるから、二酸化塩素発生剤の温度が低下して、二酸化塩素ガスの発生は急速に減衰する。第一の薬剤容器から発熱組成物を取り出せば、残った高温空気による二酸化塩素発生剤への影響は完全になくなる。【００２６】  本発明の方法によれば、必要に応じて所要の濃度の二酸化塩素を必要な期間発生させることができる。また、取り入れる空気の加熱に電熱ヒーターを用いる必要がないので、消費電力は外気の取り入れ（その結果、通風手段を介する薬剤への気流の供給）に要する電力のみであり、消費電力が僅かである。それ故、電池を電源として実施することも可能となる。
【図面の簡単な説明】
【００２７】
【図１】  本発明の装置の正面図。
【図２】  本発明の装置の断面説明図。
【発明を実施するための形態】
【００２８】  発明を実施するための第一の有利な形態を図１及び図２に示す。図１は本発明の装置の正面図、図２は装置の断面説明図である。二酸化塩素ガス発生装置１０は、送風器１、発熱体容器３、二酸化塩素発生剤容器４、ダクト２Ａおよび２Ｂ、ガス放出口５、およびそれらを一体に支持する支持台６から成る。送風器１は図示しないモーターで駆動されるシロッコファンである。発熱体容器３には粒状の発熱組成物から成る発熱体３ａが収容され、二酸化塩素発生剤容器４には粒状の多孔質体から成る二酸化塩素発生剤４ａが収容される（図２）。図１に示すように、発熱体容器３は発熱体３ａを装着及び交換するための扉３ｂを具え、二酸化塩素発生剤容器４は二酸化塩素発生剤４ａを装着及び交換するための扉４ｂを具える。図２には、送風器１（シロッコファン）の羽根１ａ、シロッコファンの回転軸１ｃ、外気取り入れ口に取り付けたフィルター１ｂが示されている。送風器１と発熱体容器３はダクト２Ａで連結され、発熱体容器３と二酸化塩素発生剤容器４はダクト２Ｂで連結されている。
【００２９】（装置の動作）
扉４ｂから二酸化塩素発生剤容器４に二酸化塩素発生剤４ａを装着し、扉３ｂから発熱体容器３に発熱体３ａを装着した上で、送風器１を起動し、フィルター１ｂを通して外気を取り入れると、空気は送風器１からダクト２Ａを通じて発熱体容器３に供給され、発熱体３ａを構成する発熱組成物の粒子のまわりを通って加熱される。発熱体容器３で加熱された空気は、ダクト２Ｂを通じて二酸化塩素発生剤容器４に供給され、二酸化塩素発生剤４ａが加熱される。その結果、二酸化塩素発生剤４ａの温度が上昇して、二酸化塩素ガスが発生し、ガス放出口５から外部に放出される。
【００３０】（方法の実施）
二酸化塩素発生剤容器４に扉４ｂから二酸化塩素発生剤４ａを装着し、発熱体容器３に扉３ｂから発熱体３ａを装着した上で、送風器１を起動すると、フィルター１ｂを通して外気が取り入れられる。空気はダクト２Ａを通じて発熱体容器３に供給され、発熱体３ａを構成する発熱組成物の粒子のまわりを通って加熱される。発熱体３ａにより加熱された空気は、ダクト２Ｂを通じて二酸化塩素発生剤容器４に供給され、二酸化塩素発生剤４ａが加熱される。その結果、二酸化塩素ガスが発生し、ガス放出口５から外部に放出される。
【００３１】（二酸化塩素ガス発生の終了又は中断）
送風器１を停止し、発熱体容器３に装着された発熱体３ａを扉３ｂから取り出すと、ダクト２Ｂを通じて二酸化塩素発生剤容器４に供給されていた高温気流が止まるから、二酸化塩素発生剤４ａの加熱が止まる。その結果、二酸化塩素発生剤４ａの温度が低下して、二酸化塩素ガスの発生が止まる。この操作の実行により、必要に応じて二酸化塩素ガスの発生を終了又は中断することができる。
【符号の説明】１    送風器
１ａ  送風器の羽根
１ｂ  フィルター
１ｃ  シロッコファンの回転軸
２Ａ  ダクト
２Ｂ  ダクト
３    発熱体容器
３ａ  発熱体
３ｂ  扉
４    二酸化塩素発生剤容器
４ａ  二酸化塩素発生剤
４ｂ  扉
５    ガス放出口
６    支持台
１０  二酸化塩素ガス発生装置
【図１】
2018030772.tif 000003
【図２】
2018030772.tif 000004